(57)【要約】【課題】ライニングユニットと小便器と手すりとを有し快適に使用できる小便器ユニットを提供する。【解決手段】前面と上面とを有するライニングユニットと、前記ライニングユニットの前記前面に取り付けられた小便器と、前記小便器の左右において前記ライニングユニットの前記前面に取り付けられ、前記前面と略平行な方向に延在する部分を有する水平部を有する手すりと、を備え、前記小便器の上面は、前記手すりの前記水平部よりも低い位置に設けられ、前記ライニングユニットの前記上面は、前記手すりの前記水平部よりも低い位置に設けられ、前記ライニングユニットの前記前面から前記小便器のボウル開口の上端までの距離は、前記ライニングユニットの前記前面から前記手すりの前記水平部までの距離よりも小さいことを特徴とする小便器ユニットが提供される。【選択図】図１
2008255564.tif 000002
【特許請求の範囲】
【請求項１】
前面と上面とを有するライニングユニットと、
前記ライニングユニットの前記前面に取り付けられた小便器と、
前記小便器の左右において前記ライニングユニットの前記前面に取り付けられ、前記前面と略平行な方向に延在する部分を有する水平部を有する手すりと、
を備え、
前記小便器の上面は、前記手すりの前記水平部よりも低い位置に設けられ、
前記ライニングユニットの前記上面は、前記手すりの前記水平部よりも低い位置に設けられ、
前記ライニングユニットの前記前面から前記小便器のボウル開口の上端までの距離は、前記ライニングユニットの前記前面から前記手すりの前記水平部までの距離よりも小さいことを特徴とする小便器ユニット。
【請求項２】
前記手すりは、前記小便器の前記左右において前記ライニングユニットの前記前面からそれぞれ前方に延出した一対の基部と、前記一対の基部の先端から前記水平部の両端に延びる傾斜部と、を有することを特徴とする請求項１記載の小便器ユニット。
【請求項３】
前記水平部は、前記基部の前記先端よりも後退してなることを特徴とする請求項２記載の小便器ユニット。
【請求項４】
前記傾斜部は、前記小便器の前記ボウル開口の左右の側辺部と略平行であることを特徴とする請求項２または３に記載の小便器ユニット。
【請求項５】
前記小便器の背後において前記ライニングユニットに収容されたマイクロ波センサをさらに備えたことを特徴とする請求項１〜４のいずれか１つに記載の小便器ユニット。
【発明の詳細な説明】
【技術分野】
【０００１】
本発明は、小便器ユニットに関し、具体的には、ライニングユニットと小便器と手すりとを有する小便器ユニットに関する。
【背景技術】
【０００２】
小便器に手すりを組み合わせることにより、身体に障害をもたれた方や高齢者などでも楽に小便器を使用することができる。小便器に組み合わせる通常の手すりは、小便器の両側から一対のサイドバーが突出し、これら左右のサイドバーの上を横バーがつないだ形態を有する。手すりを利用する使用者は、その上体を横バーにもたれかかるようにして、小便器を使用する。
【０００３】
一方、これら小便器や手すりを取り付ける壁面として、「ライニングユニット」などと呼ばれるユニットがある（例えば、特許文献１）。これは、その内部に配管や電気配線などを収納可能としたユニットであり、取付現場での設置作業が簡単で見栄えもよいトイレを提供できるものである。
【特許文献１】特開平０８−１６４０９３号公報
【発明の開示】
【発明が解決しようとする課題】
【０００４】
しかし、ライニングユニットに小便器と手すりとを取り付けた場合、手すりを利用して小便器を快適に使うためには、改善の余地がある。
【０００５】
本発明は、かかる課題の認識に基づいてなされたものであり、ライニングユニットと小便器と手すりとを有し快適に使用できる小便器ユニットを提供する。
【課題を解決するための手段】
【０００６】
本発明の一態様によれば、前面と上面とを有するライニングユニットと、前記ライニングユニットの前記前面に取り付けられた小便器と、前記小便器の左右において前記ライニングユニットの前記前面に取り付けられ、前記前面と略平行な方向に延在する部分を有する水平部を有する手すりと、を備え、前記小便器の上面は、前記手すりの前記水平部よりも低い位置に設けられ、前記ライニングユニットの前記上面は、前記手すりの前記水平部よりも低い位置に設けられ、前記ライニングユニットの前記前面から前記小便器のボウル開口の上端までの距離は、前記ライニングユニットの前記前面から前記手すりの前記水平部までの距離よりも小さいことを特徴とする小便器ユニットが提供される。
【発明の効果】
【０００７】
本発明によれば、ライニングユニットと小便器と手すりとを有し快適に使用できる小便器ユニットが提供される。
【発明を実施するための最良の形態】
【０００８】
以下、図面を参照しつつ、本発明の実施の形態について説明をする。なお、各図面中、同様の構成要素には同一の符号を付す。
【０００９】
図１は、本発明の実施の形態に係る小便器ユニットが設置されたトイレ室を例示する模式図である。  
また、図２は、本実施形態の小便器ユニットを例示する３面図である。
【００１０】
図１に例示したトイレ室の壁面９００には、ライニングユニット１００が設置され、このライニングユニット１００の前面に小便器２００と手すり３００が取り付けられている。ライニングユニット１００は、その内部に小便器２００に洗浄水を供給する給水管や、小便器２００からの排水を排出する排水管１４０（図５参照）、また、電磁弁や人体検知センサなどの接続のための電気配線や、臭気を吸引する脱臭管、さらにマイクロ波センサ１５０（図５参照）などを適宜収容している。ライニングユニット１００の前面１１０は、これらの要素を収容するためにトイレ室の壁面９００よりも突出している。つまり、トイレ室の壁面９００は、ライニングユニット１００の上面１２０の奥行き（矢印Ａの方向の長さ）だけ後退している。
【００１１】
本実施形態の小便器２００は、斜め上方に向けて開口したボウル面２３０を有する。すなわち、小便器２００のボウル開口の下端２２０は使用者からみて手前側（矢印Ａの方向）にあり、一方、ボウル開口の上端２１０は使用者からみて後方（矢印Ａとは反対の方向）に後退している。その結果、小便器２００の上面２４０の奥行き（矢印Ａの方向の長さ）は、小便器２００の奥行き（ライニングユニット１００の前面１１０から小便器２００のボウル開口の下端２２０までの長さ）に比べて顕著に小さい。その結果、後に詳述するように、小便器２００を上方から眺めた時に、そのボウル面２３０のほぼ全体を見ることができる。
【００１２】
このように、小便器２００のボウル面２３０を斜め上方に向けて開口すると、使用者に開放感を与え、見栄えがよくすっきりとしたデザインになる。さらに、使用者に与える圧迫感を大幅に減らすことができる。つまり、使用者は従来よりも小便器２００に近づきやすくなる。その結果として、尿をボウル面２３０に確実に落下させることができ、小便器２００の手前の床面に尿を落とすことが抑制される。つまり、すっきりとしたデザインで見栄えのよいトイレ室が、さらに清潔に使用されることによって、使用者に快適な使用感を与えるという重畳的な効果が得られる。
【００１３】
また、小便器２００の上面２４０を後退させ、ボウル面２３０を開放することにより、清掃も容易となり、その結果としてさらに清潔な状態を維持することができる。すなわち、水垢や汚れなどの少ない清潔な小便器２００を維持できる。
【００１４】
次に、本実施形態の手すり３００は、ライニングユニット１００の前面１１０に対して略垂直に前方（矢印Ａの方向）に突出した一対の基部３１０と、基部３１０の先端から斜め後方にそれぞれ延びた一対の傾斜部３２０と、略水平方向に延在しこれら傾斜部３２０の先端をつなぐ水平部３３０と、を有する。本具体例においては、水平部３３０は、基部３１０の先端よりも後退（矢印Ａとは反対の方向）した位置に設けられている。つまり、傾斜部３２０は、水平部３３０に向かって後退する方向に傾斜している。
【００１５】
そして、本実施形態においては、小便器２００の上面２４０よりも手すり３００の水平部３３０の方が高い位置に設けられている。またさらに、ライニングユニット１００の上面１２０は、手すり３００の水平部３３０よりも低い位置に設けられている。
【００１６】
小便器２００の上面２４０よりも手すり３００の水平部３３０を高い位置に設けることにより、手すりを利用する使用者の圧迫感が大幅に低減する。またさらに、ライニングユニット１００の上面１２０を手すり３００の水平部３３０よりも低い位置に設けることにより、使用者に開放感を与え圧迫感はさらに低減する。  
またさらに、手すり３００の傾斜部３２０を小便器２００のボウル面２３０の開口端（リムライン）のうちの左右の側辺部２５０と略同一の傾斜とすることにより、見栄えがよくすっきりとした外観が得られる。つまり、小便器２００のリムラインに対して略平行に傾斜した傾斜部３２０によって小便器２００の左右を取り囲むことにより、使用者に安心感を与え、小便器２００に近づきやすくなる。
【００１７】
図３は、本実施形態の小便器ユニットの使用形態を例示する模式図である。  
使用者８００は、手すり３００の傾斜部３２０や水平部３３０をつかむことにより、小便器２００に確実且つ容易に近づくことができる。例えば、車椅子に乗った使用者が小便器２００に近づく場合には、まず左右の傾斜部３２０の下方をつかんで車椅子を小便器２００に引き寄せることができる。しかる後に、両足を小便器２００の下端近傍につけて、両手で傾斜部３２０の中ほどから上方をつかみながら楽に立ち上がることができる。  
傾斜部３２０は、ほぼ直線状に延びているので、使用者が左右の手で傾斜部３２０を交互に上方に持ち替えながら立ち上がる動作も確実且つ容易に実行できる。
【００１８】
そして、図３に表したように、片手で水平部３００をつかみ、体重を前方にかけて上体を手すり３００の水平部３３０にもたれさせた状態で小便器２００を使用することができる。または、使用者８００は、体重を前方にかけて上体を水平部３３０にもたれさせ、両手を水平部３３０から離した状態で小便器２００を使用することも可能である。この場合には、使用者は自由な両手を使って小便器２００を使用できる。
【００１９】
図４は、比較例の小便器ユニットを表す模式図である。  
すなわち、本比較例においても、ライニングユニット１００の前面１１０に小便器２００と手すり３００とが取り付けられている。ただし、本比較例の小便器２００は、そのボウル開口の上端２１０が使用者からみてあまり後退しておらず、上面２４０の奥行きが大きい。つまり、上方から小便器２００を眺めたときに、ボウル面２３０の全体を見ることは困難である。また、手すり３００の水平部３３０は、小便器２００の上面２４０よりは高い位置にあるが、ライニングユニット１００の上面１２０よりは低い位置に設けられている。このように、ライニングユニット１００の上面１２０が手すり３００の水平部３３０よりも高い位置にあると、使用者に対して圧迫感を与える。
【００２０】
図５は、本実施形態の小便器ユニットの使用形態を例示する模式図である。  
また、図６は、図４に表した比較例の小便器ユニットの使用形態を例示する模式図である。
【００２１】
まず、図６に表した比較例から説明する。  
図３に関して前述したように、手すり３００を利用する使用者８００は、体重を前方にかけて上体を水平部３３０にもたれさせた状態で小便器２００を使用する。しかし、本比較例の場合、使用者８００が手すり３００の水平部３３０に上体をもたれさせると、頭部がライニングユニット１００の前面１１０に接近し、ぶつかることもあり得る。このように頭部がライニングユニット１００の前面１１０に接近すると、使用者８００に対して圧迫感を与えてしまう。すると、水平部３３０に安心して体重をかけることができず、上体を十分にもたれさせることができない。その結果として、使用者８００は、不安定な状態で小便器２００を使用することとなる。また、水平部３３０に上体をもたれせる代わりに、小便器２００の左右に突出した基部３１０のいずれかにもたれかかった状態で小便器２００を使用することもある。このような場合、小便器２００に対して斜め方向から使用することになるので、尿をボウル面２３０に確実に落下させることができず、トイレ室の床面に尿をこぼすこともある。
【００２２】
また一方、本比較例の場合、小便器２００の上面２４０があまり後退していない。その結果として、図６に表したように、使用者８００が上体を手すり３００の水平部３３０にもたれさせた時に、小便器２００のボウル面２３０を見ることができない。つまり、使用者８００の視線８１０は、小便器２００の上面２４０により遮られてしまう。小便器２００の上面２４０が突出していると、使用者８００は、使用状態の自分の手元を見ることも困難となり、使い勝手がよくない。このため、使用者８００は、やはり水平部３３０に対して体重をかけることができず、水平部３３０からやや離れた不安定な状態で小便器２００を使用せざるを得ないこととなる。
【００２３】
また、使用状態において小便器２００のボウル面２３０が見えないと、尿の状態も分からない。尿の色や勢い、あるいは量などを確認することは、健康管理のために重要であり、特に身体に障害をもった方や高齢者にとって、尿の色や状態を容易に確認できるようにすべきである。
【００２４】
これに対して、本実施形態の場合、図５に表したように、ライニングユニット１００の上面１２０は手すり３００の水平部３３０よりも低い位置に設けられている。その結果として、使用者８００が体重を前方にかけて手すり３００の水平部３３０に上体をもたれさせても、使用者８００の頭部はライニングユニット１００から離れた位置にある。つまり、使用者８００は圧迫感を感ずることなく、安心して手すり３００の水平部３３０に体重をあずけ、安定した姿勢で楽に小便器２００を使用することができる。このような姿勢で小便器２００を使用する場合、使用者８００は小便器２００に対して十分に近づくことができるので、尿を確実にボウル面２３０に落下させることができ、トイレの床面に尿をこぼすことも防止できる。
【００２５】
またさらに、本実施形態によれば、小便器２００の上面２４０が後退しているので、使用者８００が上体を手すり３００の水平部３３０にもたれさせた状態においても、ボウル面２３０のほぼ全体を見ることができる。つまり、使用者８００の視線が小便器２００の上面２４０により遮られることがない。その結果として、使用者８００は自分の手元を確実に確認でき、ズボンのチャックの開閉なども確実且つ容易に実施できる。
【００２６】
さらに、使用者８００は尿の色や状態まで容易に確認することができる。小便器２００を使用する際に尿の色や状態を確認するためには、ボウル面２３０のできるだけ広い範囲を見れることが必要である。つまり、尿の色や状態を確認するためには、ボウル面２３０に落下し流れる尿を見る必要がある。  
図７（ａ）は実施形態の小便器２００を鉛直上方から眺めた模式図であり、図７（ｂ）は比較例の小便器２００を上方から眺めた模式図である。  
本比較例の場合、図７（ｂ）に表したように、小便器２００の上面２４０が使用者からみて手前側に延出し、使用者の視線を遮ることが分かる。使用者８００が手すり３００の水平部３３０に上体をもたれさせた状態においては、図６に表したように使用者８００の目の直下には小便器２００の上面２４０が延在し、使用者８００はボウル面２３０ばかりでなく、自分の手元を見ることも容易ではない。
【００２７】
これに対して、図７（ａ）に表したように、本実施形態によれば、小便器２００の上面２４０はライニングユニット１００の前面１１０の方向に後退しているので、鉛直上方から眺めてもボウル面２３０のほぼ全体が見える。そして、図５に表したように、使用者８００は手すり３００の水平部３３０に体重をかけて上体をもたれさせた状態においても、ボウル面２３０のほぼ全体を見ることができる。その結果として、楽な姿勢で小便器２００を使用しつつ、尿の色や状態まで確実且つ容易に確認できる。
【００２８】
このように手すりを利用する使用者が自分の手元やボウル面２３０を見ることができるようにするために、少なくとも小便器２００のボウル開口の上端２１０は、手すり３００の水平部３３０よりも後退していることが望ましい。つまり、ライニングユニット１００の前面１１０から小便器２００のボウル開口の上端２１０までの距離は、ライニングユニット１００の前面１１０から手すり３００の水平部３３０までの距離よりも小さいことが望ましい。
【００２９】
なお、小便器２００の上面を後退させた場合、従来の赤外線センサを小便器２００の上部に内蔵させることが困難となる。また、ライニングユニット１００の上面１２０の高さを下げると、小便器２００の上面２４０との間のスペースも狭くなるので、小便器２００の上面２４０よりも上のライニングユニット１００の前面１１０に赤外線センサの検知窓を設けることも困難となる。  
これに対して、図５に表した具体例においては、小便器２００の裏側のライニングユニット１００の中にマイクロ波センサ１５０を設けている。マイクロ波センサ１５０は、マイクロ波を放射し、その反射波に含まれるドップラー成分などに基づいて使用者８００の接近や尿流などを検知することができる。また、マイクロ波は陶器を透過するので、図５に表したように小便器２００の後ろ側に配置することができる。このようにして、小便器２００の上面２４０を顕著に後退させボウル面を斜め上方に開放させた小便器２００において、人体や尿流を検知し洗浄水を自動的に流すことが可能となる。
【００３０】
以上説明したように、本実施形態によれば、手すり３００を利用する使用者が圧迫感を感ずることなく、安心して手すり３００の水平部３３０に体重をかけて安定した状態で小便器２００を使用することができる。またさらに、その状態で、自分の手元やボウル面を確実に見ることができ、使い勝手がよいとともに尿の色や状態を確認することによる健康管理も確実に実行できる小便器ユニットを提供できる。
【００３１】
以上、具体例を参照しつつ、本発明の実施の形態について説明をした。しかし、本発明はこれらの具体例に限定されるものではない。  
前述の具体例に関して、当業者が適宜設計変更を加えたものも、本発明の特徴を備えている限り、本発明の範囲に包含される。例えば、ライニングユニット、小便器、手すりなどの形状、構造、寸法、数、材質、配置などは、例示したものに限定されるわけではなく適宜変更することができる。  
また、前述した各実施例が備える各要素は、可能な限りにおいて組み合わせることができ、これらを組み合わせたものも本発明の特徴を含む限り本発明の範囲に包含される。
【図面の簡単な説明】
【００３２】
【図１】本発明の実施の形態に係る小便器ユニットが設置されたトイレ室を例示する模式図である。
【図２】本実施形態の小便器ユニットを例示する３面図である。
【図３】本実施形態の小便器ユニットの使用形態を例示する模式図である。
【図４】比較例の小便器ユニットを表す模式図である。
【図５】本実施形態の小便器ユニットの使用形態を例示する模式図である。
【図６】図４に表した比較例の小便器ユニットの使用形態を例示する模式図である。
【図７】（ａ）は実施形態の小便器２００を鉛直上方から眺めた模式図であり、（ｂ）は比較例の小便器２００を上方から眺めた模式図である。
【符号の説明】
【００３３】
１００ ライニングユニット、１１０ 前面、１２０ 上面、１４０ 排水管、１５０ マイクロ波センサ、２００ 小便器、２１０ 上端、２２０ 下端、２３０ ボウル面、２４０ 上面、２５０ 側辺部、３００ 水平部、３１０ 基部、３２０ 傾斜部、３３０ 水平部、８００ 使用者、８１０ 視線、９００ 壁面
【図１】
2008255564.tif 000003
【図２】
2008255564.tif 000004
【図３】
2008255564.tif 000005
【図４】
2008255564.tif 000006
【図５】
2008255564.tif 000007
【図６】
2008255564.tif 000008
【図７】
2008255564.tif 000009
【手続補正書】
【提出日】平成20年1月29日(2008.1.29)
【手続補正１】
【補正対象書類名】特許請求の範囲
【補正対象項目名】全文
【補正方法】変更
【補正の内容】
【特許請求の範囲】
【請求項１】
前面と上面とを有するライニングユニットと、
前記ライニングユニットの前記前面に取り付けられた小便器と、
前記小便器の左右において前記ライニングユニットの前記前面に取り付けられ、前記前面と略平行な方向に延在する部分を有する水平部を有する手すりと、
を備え、
前記小便器の上面は、前記手すりの前記水平部よりも低い位置に設けられ、
前記ライニングユニットの前記上面は、前記手すりの前記水平部よりも低い位置に設けられ、
前記ライニングユニットの前記前面から前記小便器のボウル開口の上端までの距離は、前記ライニングユニットの前記前面から前記手すりの前記水平部までの距離よりも小さく、
前記手すりは、前記小便器の前記左右において前記ライニングユニットの前記前面からそれぞれ前方に延出した一対の基部と、前記一対の基部の先端から前記水平部の両端まで直線的に延びる傾斜部と、を有し、
前記水平部は、前記基部の前記先端よりも後退してなることを特徴とする小便器ユニット。
【請求項２】
前記傾斜部は、前記小便器の前記ボウル開口の左右の側辺部と略平行であることを特徴とする請求項１記載の小便器ユニット。
【手続補正２】
【補正対象書類名】明細書
【補正対象項目名】０００６
【補正方法】変更
【補正の内容】
【０００６】
本発明の一態様によれば、前面と上面とを有するライニングユニットと、前記ライニングユニットの前記前面に取り付けられた小便器と、前記小便器の左右において前記ライニングユニットの前記前面に取り付けられ、前記前面と略平行な方向に延在する部分を有する水平部を有する手すりと、を備え、前記小便器の上面は、前記手すりの前記水平部よりも低い位置に設けられ、前記ライニングユニットの前記上面は、前記手すりの前記水平部よりも低い位置に設けられ、前記ライニングユニットの前記前面から前記小便器のボウル開口の上端までの距離は、前記ライニングユニットの前記前面から前記手すりの前記水平部までの距離よりも小さく、前記手すりは、前記小便器の前記左右において前記ライニングユニットの前記前面からそれぞれ前方に延出した一対の基部と、前記一対の基部の先端から前記水平部の両端まで直線的に延びる傾斜部と、を有し、前記水平部は、前記基部の前記先端よりも後退してなることを特徴とする小便器ユニットが提供される。